(57)【要約】      （修正有）【課題】回路基板の外観品質向上と共に、熱応答性の高い物理量検出装置を提供すること。【解決手段】主通路を通過する被計測気体の物理量を検出する少なくとも一つの検出部と、検出部により検出された物理量を演算処理する回路部とが設けられたプリント基板からなる回路基板と、回路基板を収容するハウジングとを有する物理量測定装置であって、回路基板の表面に形成するレジスト膜７０４、および、階層を構成する樹脂シート部材の色調を暗色とした。【選択図】図５−２
2016161303.tif 000002
【特許請求の範囲】
【請求項１】
主通路を通過する被計測気体の物理量を検出する少なくとも一つの検出部と、該検出部により検出された物理量を演算処理する回路部とが設けられたプリント基板からなる回路基板と、該回路基板を収容するハウジングとを有する物理量測定装置であって、
前記回路基板の表面に形成するレジスト膜、および、階層を構成する樹脂シート部材の色調を暗色としたことを特徴とする物理量検出装置。
【請求項２】
前記回路基板は、表面及び裏面に形成されるレジスト膜、および、階層を構成する樹脂シート部材の色調を黒色としたことを特徴とする請求項１に記載の物理量検出装置。
【請求項３】
前記回路基板は、表面及び裏面に形成されるレジスト膜のみを黒色としたことを特徴とする請求項１または２に記載の物理量検出装置。
【請求項４】
前記回路基板は、入射した光を吸収する黒色系の色調を有する樹脂部材より形成されたことを特徴とする請求項３に記載の物理量検出装置。
【請求項５】
前記回路基板は、入射した熱エネルギーを吸収する黒色系の色調を有する樹脂部材より形成されたことを特徴とする請求項３に記載の物理量検出装置。
【請求項６】
前記回路基板は、樹脂シートに配合する黒色化材料として、カーボンブラック、黒鉛、グラファイト等の無機系フィラーを配合し黒色化したことを特徴とする請求項３または４に記載の物理量検出装置。
【請求項７】
前記回路基板の表面あるいは裏面に形成する黒色のレジストはシリコーン樹脂、ウレタン樹脂、アクリル系樹脂、ポリエステル樹脂からなることを特徴とする請求項６に記載の物理量検出装置。
【発明の詳細な説明】
【技術分野】
【０００１】
本発明は、内燃機関の吸入空気の物理量検出装置に関する。
【背景技術】
【０００２】
特許文献１には、回路部が形成された回路基板に物理量を計測するセンシング素子が設けられ、回路基板の回路部が筐体の中に配置され、回路基板のセンシング素子が外部に晒される空気流量測定装置の構造が示されている。特許文献１では、回路基板は筐体に接着固定されている。
【先行技術文献】
【特許文献】
【０００３】
【特許文献１】特開２０１２−１６３５０４号公報
【発明の概要】
【発明が解決しようとする課題】
【０００４】
特許文献１に示すように空気流量を検出するセンシング素子及び駆動回路がプリント基板上に設けられた構造であって、特に、エンジンルーム内に搭載される車載用機器のような過酷環境において採用する場合、以下に提示する課題がある。
【０００５】
プリント基板を形成する材料はガラス繊維で包括したエポキシシートやエポキシシート、回路配線パターンが形成された金属箔による回路配線パターン等を階層状に積層し、ホットプレスすることで形成され、更に、プリント基板表面に、はんだのブリッジ防止やマイグレーション対策としてのエポキシ樹脂等によるレジスト膜が形成されている。前記したプリント基板を構成する樹脂で包括された繊維シートや、レジストはエポキシ樹脂が原材料として加工されたものが多く使用されているが、ガラス繊維を包括しるエポキシート用のポキシ樹脂は本来の色調がアイボリーやクリーム色であり、車載での環境条件、特に高温放置等の高温に長い時間晒されると、アイボリーの色調が酸化により茶色となり、やがて黒色化する。
【０００６】
また、プリント基板の表面に形成されたレジストコート膜も同様である。プリント基板のほとんどはレジストの色調が緑色である。緑色のレジストも前記したように高温で放置状態に晒されると、色調が酸化により茶色となりやがて黒色化する。黒色化したエポキシシートやレジストは、その性能、つまり物理的特性、化学的特性、機械的特性が変化はしない。ただ、変色による外観的変化によって外観品質低下と判断されてしまうおそれがある。変色しないプリント基板用エポキシシートやエポキシ系のレジスト材料は、少なくとも現時点で存在しないために外観品質低下の対応が課題となる。
【０００７】
また、エンジンルーム内部に設置したプリント基板に物量量検出装置を実装した電子機器は塵埃、カーボン、ガソリン等燃料雰囲気、内燃機関の燃焼ガス雰囲気等がプリント基板に直接に晒される。つまり、プリント基板には主に褐色から黒色の塵埃が付着することで、表面の色調が変化する。また、燃焼ガスの蒸気、エンジンオイル蒸気等も当初は、褐色であるが酸化とすることで黒色化した状態でプリント基板に付着することで、外観品質が低下する。
【０００８】
物理量、特に、空気流量を計測する熱式空気流量測定装置において、プリント基板に実装された吸入空気温度を計測する素子と吸入空気温度を計測するサーミスタとを有する場合、吸入空気温度に変化が生じた際に、プリント基板は熱伝導率が小さく熱的追従性が悪いため同じプリント基板に実装されているサーミスタ等の熱応答が遅れてしまい結果として空気流量温度計測誤差となる。また、空気流量計測素子を実装したプリント基板の温度と吸入空気流量の温度に差異が発生した場合、空気流量計測誤差の原因となる恐れがある。
【０００９】
本発明は、上記の点に鑑みてなされたものであり、その目的とするところは、回路基板の外観品質向上と共に、熱応答性の高い物理量検出装置を提供することである。
【課題を解決するための手段】
【００１０】
上記課題を解決するために、本発明の物理量検出装置は、  主通路を通過する被計測気体の物理量を検出する少なくとも一つの検出部と、該検出部により検出された物理量を演算処理する回路部とが設けられたプリント基板からなる回路基板４００と、該回路基板を収容するハウジングとを有する物理量測定装置であって、前記回路基板の表面に形成するレジスト膜７０４、および、階層を構成する樹脂シート部材の色調を暗色とした。
【発明の効果】
【００１１】
本発明によれば、回路基板の外観品質向上と共に、熱応答性の高い物理量検出装置を提供することができる。なお、上記した以外の課題、構成及び効果は、以下の実施形態の説明により明らかにされる。
【図面の簡単な説明】
【００１２】
【図１】内燃機関制御システムに本発明に係る物理量検出装置を使用した一実施例を示すシステム図。
【図２−１】物理量検出装置の正面図。
【図２−２】物理量検出装置の背面図。
【図２−３】物理量検出装置の左側面図。
【図２−４】物理量検出装置の右側面図。
【図２−５】物理量検出装置の平面図。
【図２−６】物理量検出装置の下面図。
【図３−１】物理量検出装置から表カバーを取り外した状態を示す正面図。
【図３−２】物理量検出装置から裏カバーを取り外した状態を示す背面図。
【図３−３】物理量検出装置から表カバーと裏カバーを取り外した状態を示す左側面図。
【図３−４】物理量検出装置から表カバーと裏カバーを取り外した状態を示す右側面図。
【図３−５】図３−１のＡ−Ａ線断面矢視図。
【図４−１】回路基板の正面図。
【図４−２】回路基板の右側面図。
【図４−３】回路基板の背面図。
【図４−４】回路基板の左側面図。
【図４−５】図４−１のＢ−Ｂ線断面図。
【図４−６】図４−１のＢ−Ｂ線断面に相当する他の実施例を示す図。
【図５−１】回路基板の実施例を示す正面図。
【図５−２】回路基板の断面構造図
【発明を実施するための形態】
【００１３】
以下に説明する、発明を実施するための形態（以下、実施例）は、実際の製品として要望されている種々の課題を解決しており、特に車両の吸入空気の物理量を検出する検出装置として使用するために望ましい色々な課題を解決し、種々の効果を奏している。下記実施例が解決している色々な課題の内の一つが、上述した発明が解決しようとする課題の欄に記載した内容であり、また下記実施例が奏する種々の効果のうちの１つが、発明の効果の欄に記載された効果である。下記実施例が解決している色々な課題について、さらに下記実施例により奏される種々の効果について、下記実施例の説明の中で述べる。従って、下記実施例の中で述べる、実施例が解決している課題や効果は、発明が解決しようとする課題の欄や発明の効果の欄の内容以外の内容についても記載されている。
【００１４】
以下の実施例で、同一の参照符号は、図番が異なっていても同一の構成を示しており、同じ作用効果を成す。既に説明済みの構成について、図に参照符号のみを付し、説明を省略する場合がある。
【００１５】
１．  内燃機関制御システムに本発明に係る物理量検出装置を使用した一実施例
図１は、電子燃料噴射方式の内燃機関制御システムに、本発明に係る物理量検出装置を使用した一実施例を示す、システム図である。エンジンシリンダ１１２とエンジンピストン１１４を備える内燃機関１１０の動作に基づき、吸入空気が被計測気体３０としてエアクリーナ１２２から吸入され、主通路１２４である例えば吸気ボディ、スロットルボディ１２６、吸気マニホールド１２８を介してエンジンシリンダ１１２の燃焼室に導かれる。燃焼室に導かれる吸入空気である被計測気体３０の物理量は、本発明に係る物理量検出装置３００で検出され、その検出された物理量に基づいて燃料噴射弁１５２より燃料が供給され、吸入空気２０と共に混合気の状態で燃焼室に導かれる。なお、本実施例では、燃料噴射弁１５２は内燃機関の吸気ポートに設けられ、吸気ポートに噴射された燃料が吸入空気である被計測気体３０と共に混合気を成形し、吸気弁１１６を介して燃焼室に導かれ、燃焼して機械エネルギを発生する。
【００１６】
燃焼室に導かれた燃料および空気は、燃料と空気の混合状態を成しており、点火プラグ１５４の火花着火により、爆発的に燃焼し、機械エネルギを発生する。燃焼後の気体は排気弁１１８から排気管に導かれ、排気ガス２４として排気管から車外に排出される。前記燃焼室に導かれる吸入空気である被計測気体３０の流量は、アクセルペダルの操作に基づいてその開度が変化するスロットルバルブ１３２により制御される。前記燃焼室に導かれる吸入空気の流量に基づいて燃料供給量が制御され、運転者はスロットルバルブ１３２の開度を制御して前記燃焼室に導かれる吸入空気の流量を制御することにより、内燃機関が発生する機械エネルギを制御することができる。
【００１７】
１．１  内燃機関制御システムの制御の概要
エアクリーナ１２２から取り込まれ主通路１２４を流れる吸入空気である被計測気体３０の流量、温度、湿度、圧力などの物理量が物理量検出装置３００により検出され、物理量検出装置３００から吸入空気の物理量を表す電気信号が制御装置２００に入力される。また、スロットルバルブ１３２の開度を計測するスロットル角度センサ１４４の出力が制御装置２００に入力され、さらに内燃機関のエンジンピストン１１４や吸気弁１１６や排気弁１１８の位置や状態、さらに内燃機関の回転速度を計測するために、回転角度センサ１４６の出力が、制御装置２００に入力される。排気ガス２４の状態から燃料量と空気量との混合比の状態を計測するために、酸素センサ１４８の出力が制御装置２００に入力される。
【００１８】
制御装置２００は、物理量検出装置３００の出力である吸入空気の物理量と、回転角度センサ１４６の出力に基づき計測された内燃機関の回転速度とに基づいて、燃料噴射量や点火時期を演算する。これら演算結果に基づいて、燃料噴射弁１５２から供給される燃料量、また点火プラグ１５４により点火される点火時期が制御される。燃料供給量や点火時期は、実際にはさらに物理量検出装置３００で検出される温度やスロットル角度の変化状態、エンジン回転速度の変化状態、酸素センサ１４８で計測された空燃比の状態に基づいて、きめ細かく制御されている。制御装置２００は、さらに内燃機関のアイドル運転状態において、スロットルバルブ１３２をバイパスする空気量をアイドルエアコントロールバルブ１５６により制御し、アイドル運転状態での内燃機関の回転速度を制御する。
【００１９】
１．２  物理量検出装置の検出精度向上の重要性と物理量検出装置の搭載環境
内燃機関の主要な制御量である燃料供給量や点火時期はいずれも物理量検出装置３００の出力を主パラメータとして演算される。従って、物理量検出装置３００の検出精度の向上や、経時変化の抑制、信頼性の向上が、車両の制御精度の向上や信頼性の確保に関して重要である。
【００２０】
特に近年、車両の省燃費に関する要望が非常に高く、また排気ガス浄化に関する要望が非常に高い。これらの要望に応えるには、物理量検出装置３００により検出される吸入空気２０の物理量の検出精度の向上が極めて重要である。また、物理量検出装置３００が高い信頼性を維持していることも大切である。
【００２１】
物理量検出装置３００が搭載される車両は、温度や湿度の変化が大きい環境で使用される。物理量検出装置３００は、その使用環境における温度や湿度の変化への対応や、塵埃や汚染物質などへの対応も、考慮されていることが望ましい。
【００２２】
また、物理量検出装置３００は、内燃機関からの発熱の影響を受ける吸気管に装着される。このため、内燃機関の発熱が主通路１２４である吸気管を介して物理量検出装置３００に伝わる。物理量検出装置３００は、被計測気体と熱伝達を行うことにより被計測気体の流量を検出するので、外部からの熱の影響をできるだけ抑制することが重要である。
【００２３】
車に搭載される物理量検出装置３００は、以下で説明するように、単に発明が解決しようとする課題の欄に記載された課題を解決し、発明の効果の欄に記載された効果を奏するのみでなく、以下で説明するように、上述した色々な課題を十分に考慮し、製品として求められている色々な課題を解決し、色々な効果を奏している。物理量検出装置３００が解決する具体的な課題や奏する具体的な効果は、以下の実施例の記載の中で説明する。
【００２４】
２．物理量検出装置３００の外観構造
図２−１〜図２−６は、物理量検出装置３００の外観を示す図であり、図２−１は物理量検出装置３００の正面図、図２−２は背面図、図２−３は左側面図、図２−４は右側面図、図２−５は平面図、図２−６は下面図である。
【００２５】
物理量検出装置３００は、ハウジング３０２と、表カバー３０３と、裏カバー３０４とを備えている。ハウジング３０２は、合成樹脂製材料をモールド成形することによって構成されており、物理量検出装置３００を主通路１２４である吸気ボディに固定するためのフランジ３１１と、フランジ３１１から突出して外部機器との電気的な接続を行うためのコネクタを有する外部接続部３２１と、フランジ３１１から主通路１２４の中心に向かって突出するように延びる計測部３３１を有している。
【００２６】
計測部３３１には、ハウジング３０２をモールド成形する際にインサート成形により回路基板４００が一体に設けられている（図３−１、図３−２を参照）。回路基板４００には、主通路１２４を流れる被計測気体３０の物理量を検出するための少なくとも一つの検出部と、検出部で検出した信号を処理するための回路部が設けられている。検出部は、被計測気体３０に晒される位置に配置され、回路部は、表カバー３０３によって密閉された回路室に配置される。
【００２７】
計測部３３１の表面と裏面には副通路溝が設けられており、表カバー３０３及び裏カバー３０４との協働により第１副通路３０５が形成される。計測部３３１の先端部には、吸入空気などの被計測気体３０の一部を第１副通路３０５に取り込むための第１副通路入口３０５ａと、第１副通路３０５から被計測気体３０を主通路１２４に戻すための第１副通路出口３０５ｂが設けられている。第１副通路３０５の通路途中には、回路基板４００の一部が突出しており、その突出部分には検出部である流量検出部６０２（図３−１を参照）が配置されて、被計測気体３０の流量を検出するようになっている。
【００２８】
第１副通路３０５よりもフランジ３１１寄りの計測部３３１の中間部には、吸入空気などの被計測気体３０の一部をセンサ室Ｒｓに取り入れるための第２副通路３０６が設けられている。第２副通路３０６は、計測部３３１と裏カバー３０４との協働により形成される。第２副通路３０６は、被計測気体３０を取り込むために上流側外壁３３６に開口する第２副通路入口３０６ａと、第２副通路３０６から被計測気体３０を主通路１２４に戻すために下流側外壁３３８に開口する第２副通路出口３０６ｂを有している。第２副通路３０６は、計測部３３１の背面側に形成されたセンサ室Ｒｓに連通している。センサ室Ｒｓには、回路基板４００の裏面に設けられた検出部である圧力センサと湿度センサが配置されている。
【００２９】
３．  ハウジング３０２の全体構造とその効果
次に、ハウジング３０２の全体構造について図３−１〜図３−５を用いて説明する。図３−１〜図３−５は、物理量検出装置３００から表カバー３０３および裏カバー３０４を取り外したハウジング３０２の状態を示す図であり、図３−１はハウジング３０２の正面図、図３−２はハウジング３０２の背面図、図３−３はハウジング３０２の右側面図、図３−４はハウジング３０２の左側面図、図３−５は図３−１のＡ−Ａ線断面図である。
【００３０】
ハウジング３０２は、フランジ３１１から計測部３３１が主通路１２４の中心に向かって延びる構造を成している。計測部３３１の基端側には回路基板４００がインサート成形されている。回路基板４００は、計測部３３１の表面と裏面との中間位置で計測部３３１の面に沿って平行に配置されて、ハウジング３０２に一体にモールドされており、計測部３３１の基端側を厚さ方向一方側と他方側とに区画している。
【００３１】
計測部３３１の表面側には、回路基板４００の回路部を収容する回路室Ｒｃが形成され、裏面側には、圧力センサ４２１と湿度センサ４２２を収容するセンサ室Ｒｓが形成されている。回路室Ｒｃは、表カバー３０３をハウジング３０２に取り付けることにより密閉され、外部から完全に隔離される。一方、裏カバー３０４をハウジング３０２に取り付けることにより、第２副通路３０６と、第２副通路３０６を介して計測部３３１の外部に連通する室内空間であるセンサ室Ｒｓを形成する。回路基板４００の一部は、計測部３３１の回路室Ｒｃと第１副通路３０５との間を仕切る仕切壁３３５から第１副通路３０５内に突出しており、その突出した部分の計測用流路面４３０に流量検出部６０２が設けられている。
【００３２】
４．  副通路溝の構造
計測部３３１の長さ方向先端側には、第１副通路３０５を成形するための副通路溝が設けられている。第１副通路３０５を形成するための副通路溝は、図３−１に示される表側副通路溝３３２と、図３−２に示される裏側副通路溝３３４を有している。表側副通路溝３３２は、図３−１に示すように、計測部３３１の下流側外壁３３８に開口する第１副通路出口３０５ｂから上流側外壁３３６に向かって移行するに従って漸次計測部３３１の基端側であるフランジ３１１側に湾曲し、上流側外壁３３６の近傍位置で、計測部３３１を厚さ方向に貫通する開口部３３３に連通している。開口部３３３は、上流側外壁３３６と下流側外壁３３８との間に亘って延びるように、主通路１２４の被計測気体３０の流れ方向に沿って形成されている。
【００３３】
裏側副通路溝３３４は、図３−２に示すように、上流側外壁３３６から下流側外壁３３８に向かって移行し、上流側外壁３３６と下流側外壁３３８との中間位置で二股に分かれて、一方は、排出通路としてそのまま一直線状に延在して下流側外壁３３８の排出口３０５ｃに開口し、他方は、下流側外壁３３８に移行するに従って漸次計測部３３１の基端側であるフランジ３１１側に湾曲し、下流側外壁３３８の近傍位置で、開口部３３３に連通している。
【００３４】
５．  回路基板４００の外観
５．１  流量検出部６０２を備える計測用流路面４３０の成形
図７−１〜図７−６に回路基板４００の外観を示す。なお、回路基板４００の外観上に記載した斜線部分は、樹脂モールド工程でハウジング３０２を成形する際に樹脂により回路基板４００が覆われて固定される固定面４３２および固定面４３４を示す。  
図４−１は、回路基板の正面図、図４−２は、回路基板の右側面図、図４−３は、回路基板の背面図、図４−４は、回路基板の左側面図、図４−５は、図４−１のＬＳＩ部分の断面を示すＢ−Ｂ線断面図、図４−６は、図４−１の検出部のＣ−Ｃ線断面図である。
【００３５】
回路基板４００は、基板本体４０１を有しており、基板本体４０１の表面に回路部とセンシング素子である流量検出部６０２が設けられ、基板本体４０１の裏面にセンシング素子である圧力センサ４２１と湿度センサ４２２が設けられている。基板本体４０１は、ガラスエポキシ樹脂製の材料により構成されており、ハウジング３０２を成形している熱可塑性樹脂の熱膨張係数と同一もしくは近似した値を有している。したがって、ハウジング３０２にインサート成形した際に熱膨張係数の差による応力を低減でき、回路基板４００の歪みを小さくすることができる。
【００３６】
基板本体４０１は、一定厚さを有する平板形状を有しており、略四角形状のベース部４０２と、ベース部４０２の一辺から突出してベース部４０２よりも一回り小さな略四角形状の突出部４０３とを有する、平面視略Ｔ字形状をなしている。ベース部４０２の表面には、回路部が設けられている。回路部は、図示していない回路配線の上に、ＬＳＩ４１４、マイコン４１５、電源レギュレータ４１６、抵抗やコンデンサなどのチップ部品４１７などの電子部品が実装されて構成されている。電源レギュレータ４１６は、マイコン４１５やＬＳＩ４１４などの他の電子部品と比較して発熱量が多いので、回路室Ｒｃにおいて比較的上流側に配置されている。ＬＳＩ４１４は、金線ワイヤ４１１を含むように全体が合成樹脂材４１９で封止されており、インサート成形する際の回路基板４００の取り扱い性を向上させている。
【００３７】
図７−５に示すように、基板本体４０１の表面には、ＬＳＩ４１４が嵌入される凹部４０２ａが凹設されている。この凹部４０２ａは、基板本体４０１にレーザ加工を施すことによって形成できる。ガラスエポキシ樹脂製の基板本体４０１は、セラミック製の基板本体と比較して加工が容易であり、凹部４０２を容易に設けることができる。凹部４０２は、ＬＳＩ４１４の表面が基板本体４０１の表面と面一になる深さを有している。このようにＬＳＩ４１４の表面と基板本体４０１の表面の高さを一致させることによって、ＬＳＩ４１４と基板本体４０１との間を金線ワイヤ４１１で結ぶワイヤボンディングが容易になり、回路基板４００の製造が容易になる。ＬＳＩ４１４は、例えば図７−６に示すように、基板本体４０１の表面に直接設けることもできる。かかる構造の場合、ＬＳＩ４１４を被覆する合成樹脂材４１９がより大きく突出することになるが、基板本体４０１に凹部４０２を形成する加工が不要になり、製造を簡単化できる。
【００３８】
突出部４０３は、回路基板４００をハウジング３０２にインサート成形した際に、第１副通路３０５内に配置され、突出部４０３の表面である計測用流路面４３０が被計測気体３０の流れ方向に沿って延びる。突出部４０３の計測用流路面４３０には、流量検出部６０２が設けられている。流量検出部６０２は、被計測気体３０と熱伝達を行い、被計測気体３０の状態、例えば被計測気体３０の流速を計測し、主通路１２４を流れる流量を表す電気信号を出力する。流量検出部６０２が高精度で被計測気体３０の状態を計測するには、計測用流路面４３０の近傍を流れる気体が層流であり乱れが少ないことが望ましい。このため流量検出部６０２の表面と計測用流路面４３０の面とが面一、もしくは差が所定値以下であることが望ましい。
【００３９】
計測用流路面４３０の表面には凹部４０３ａが凹設されており、流量検出部６０２が嵌入されている。この凹部４０３ａもレーザ加工を施すことによって形成できる。凹部４０３ａは、流量検出部６０２の表面が計測用流路面４３０の表面と面一になる深さを有している。流量検出部６０２とその配線部分は、合成樹脂材４１８で被覆されており、塩水の付着により電食が生ずるのを防いでいる。
【００４０】
基板本体４０１の裏面には、２つの圧力センサ４２１Ａ、４２１Ｂと、１つの湿度センサ４２２が設けられている。２つの圧力センサ４２１Ａ、４２１Ｂは、上流側と下流側に分かれて一列に配置されている。そして、圧力センサ４２１Ｂの下流側に湿度センサ４２２が配置されている。これら２つの圧力センサ４２１Ａ、４２１Ｂと、１つの湿度センサ４２２は、センサ室Ｒｓ内に配置されている。
【００４１】
回路基板４００は、基板本体４０１の裏面側に第２副通路３０６が配置されている。したがって、第２副通路３０６を通過する被計測気体３０によって、基板本体４０１全体を冷却することができる。
【００４２】
５．２  温度検出部４５１の構造
ベース部４０２の上流側の端辺で且つ突出部４０３側の角部には、温度検出部４５１が設けられている。温度検出部４５１は、主通路１２４を流れる被計測気体３０の物理量を検出するための検出部の一つを構成するものであり、回路基板４００に設けられている。回路基板４００は、第２副通路３０６の第２副通路入口３０６ａから被計測気体３０の上流に向かって突出する突出部４５０を有しており、温度検出部４５１は、突出部４５０でかつ回路基板４００の裏面に設けられたチップ型の温度センサ４５３を有している。温度センサ４５３とその配線部分は、合成樹脂材で被覆されており、塩水の付着により電食が生ずるのを防いでいる。
【００４３】
例えば図３−２に示すように、第２副通路入口３０６ａが設けられている計測部３３１の中央部では、ハウジング３０２を構成する計測部３３１内の上流側外壁３３６が下流側に向かって窪んでおり、前記窪み形状の上流側外壁３３６から回路基板４００の突出部４５０が上流側に向かって突出している。突出部４５０の先端は、上流側外壁３３６の最も上流側の面よりも凹んだ位置に配置されている。温度検出部４５１は、回路基板４００の背面、すなわち、第２副通路３０６側に面するように突出部４５０に設けられている。
【００４４】
温度検出部４５１の下流側に、第２副通路入口３０６ａが形成されているので、第２副通路入口３０６ａから第２副通路３０６に流れ込む被計測気体３０は、温度検出部４５１に接触してから第２副通路入口３０６ａに流れ込み、温度検出部４５１に接触した際に温度が検出される。温度検出部４５１に接触した被計測気体３０は、そのまま第２副通路入口３０６ａから第２副通路３０６に流れ込み、第２副通路３０６を通過して第２副通路出口３０６ｂから主通路１２３に排出される。
【００４５】
５．３  回路基板４００の外観とその効果
図５−１は、回路基板の正面図、図５−２は、回路基板の断面構造図を示す。
【００４６】
ハウジング３０２に固定される回路基板４００は、ガラス繊維布をエポキシ樹脂で包括したプリプレグ７０１と回路基板４００の剛性を付与するコア７０２及びＣｕ等の金属部材を回路パターンし従いエッチングで形成した導体配線パターン７０３及び、回路基板４００表面に形成されたはんだブリッジ防止及びマイグレーション防止用のレジスト膜７０４により形成されている。ここで、特にプリプレグ７０１、コア７０２、及びレジスト膜７０４の色調が黒色化する恐れがある。
【００４７】
現在、市場に流通しているほとんどのプリグレグ７０１、コア７０２、レジスト膜７０４を構成する樹脂はエポキシ系で、ナフサより精製されたエポキシ樹脂の原料はフェノール系樹脂であり、このフェノール樹脂の色調がアイボリーからクリーム色である。フェノール樹脂は、その分子構造に多くの官能基を有しているために、酸素と結合しやすい性質があり、プリプレグ７０１、コア７０２は高温に晒されると樹脂が酸化し、それに伴い色調は茶色からやがて黒色化する。同じように、レジスト膜７０４も緑色がほとんどであるが、高温に晒されると色調は茶色からやがて黒色化する。これは、エポキシ樹脂中の分子が熱により切断されラジカルとなり、別の分子と再結合するためと推定され、その際に色調が変化すると推定される。
【００４８】
そこで、本実施例では、プリプレグ７０１、コア７０２及びレジスト膜７０４の色調を予め茶色や褐色、黒色等のような色調の暗い色に暗色化する構成とした。このような構成により樹脂の酸化による黒色化が発生しても、レジスト等は色調的に近しい色やあるいは同調した黒色であるために、外観的変化が発生したとしてその変化は少なく済み、また、黒色化の場合は同化した色調のために外観的変化はなく、外観品質を向上させることができる。
【００４９】
なお、プリプレグ７０１、コア７０２及びレジスト膜７０４の色調を予め暗色化させる顔料として、カーボンブラック、黒鉛、グラファイト等の無機系フィラーを配合したものが好ましい。これにより、酸化後の黒色化した状態と近似した色調とすることが可能となり、経時変化による色調による変化を少なくすことが可能となる。
【００５０】
なお、上記の暗色化の顔料は、エポキシ樹脂のみならず、アクリル樹脂、シリコーン樹脂、ポリウレタン樹脂、ポリエチレン樹脂を配合することでも同様な効果を発揮することが可能である。
【００５１】
次に、回路基板４００のレジスト膜７０４を予め暗色化することによる他の効果について説明する。エンジンルーム内では、塵埃やカーボン、ガソリン等燃料雰囲気、内燃機関の燃焼ガス雰囲気等が回路基板４００に直接に晒される。つまり、回路基板４００には主に褐色から黒色の塵埃が付着することで、外観色調が変化する。また、燃焼ガスの蒸気、エンジンオイル蒸気等も当初は、褐色であるが酸化することで黒色化した状態で回路基板４００に付着する。そのため、本実施例の回路基板４００を適用する前の当初の緑色で使用して緑色から褐色や黒色へ変化するよりも、予め回路基板４００を暗色化したものを使用して、茶色や褐色、黒色から変化することで、外観品質が相対的に低下することになる。
【００５２】
よって、本実施例の回路基板４００を暗色化した部材で形成することにより外部からの塵埃等の付着物や有機溶剤や燃焼ガスの蒸気の回路基板４００に付着しても、本発明のように予め回路基板４００のレジスト膜７０４を暗色化することで付着物と同化した色調となり付着物が外観的に目立たなくなり外観品質が向上する。
【００５３】
５．４  回路基板４００の外観と温度検出性能改善の効果
物理量、特に、空気流量を計測する熱式空気流量測定装置において、回路基板４００に実装された吸入空気温度を計測する素子と吸入空気温度を計測する温度センサ４５３とを有する場合、吸入空気温度に変化が生じた際に、回路基板４００は熱伝導率が小さく熱的追従性が悪いため同じ回路基板４００に実装されている温度センサ４５３の熱応答が遅れてしまい、結果として空気流量温度計測誤差となる。また、空気流量計測素子を実装した回路基板４００の温度と吸入空気流量の温度に差異が発生した場合、空気流量計測誤差の原因となる恐れがあるために、回路基板４００の熱応答性を向上した基板とすることが必要である。
【００５４】
そこで、回路基板４００表面を暗色化することで、前記温度センサ４５３が実装されている回路基板４００の熱吸収効率が増加し、吸入空気の温度変化に対しても熱的な追従性が改善される。これにより、回路基板４００に実装された温度センサ４５３は、回路基板４００からの熱影響を軽減することができ、精度の高い温度計測をプリント基板実装で実現できることになる。
【００５５】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００５６】
３０  被計測気体
１２４  主通路
３００  物理量検出装置
３０２  ハウジング
４００  回路基板
４０１  基板本体
４５３  温度センサ
７０１  プリプレグ
７０２  コア
７０３  導体配線パターン
７０４  レジスト膜
【図１】
2016161303.tif 000003
【図２−１】
2016161303.tif 000004
【図２−２】
2016161303.tif 000005
【図２−３】
2016161303.tif 000006
【図２−４】
2016161303.tif 000007
【図２−５】
2016161303.tif 000008
【図２−６】
2016161303.tif 000009
【図３−１】
2016161303.tif 000010
【図３−２】
2016161303.tif 000011
【図３−３】
2016161303.tif 000012
【図３−４】
2016161303.tif 000013
【図３−５】
2016161303.tif 000014
【図４−１】
2016161303.tif 000015
【図４−２】
2016161303.tif 000016
【図４−３】
2016161303.tif 000017
【図４−４】
2016161303.tif 000018
【図４−５】
2016161303.tif 000019
【図４−６】
2016161303.tif 000020
【図５−１】
2016161303.tif 000021
【図５−２】
2016161303.tif 000022